(57)【要約】  視覚スクリーニング装置は、光屈折眼スクリーニング検査を実施して、屈折異常データを生成する。屈折異常データに基づいて、スネレン等価視力が判定される。視覚スクリーニング装置からの被検者の距離も判定され、調節された視標サイズを生成するために使用される。視覚スクリーニング装置は、スネレン等価視力および被検者の距離に応じて調節された視標を表示する。
2021501008.tif 000002
【特許請求の範囲】
【請求項１】
視覚スクリーニング装置であって、
処理ユニットと、
前記処理ユニットによって実行されたときに、前記視覚スクリーニング装置に、
屈折異常結果の評価に基づいて、スネレン等価視力を判定させ、
前記視覚スクリーニング装置からの被検者の距離を判定させ、
前記被検者の距離および前記スネレン等価視力に基づいて、調節された視標サイズを判定させ、
前記調節された視標サイズで視標を表示させる
命令を記憶するメモリと、
を備える、視覚スクリーニング装置。
【請求項２】
請求項１に記載の視覚スクリーニング装置であって、
前記メモリは、前記処理ユニットによって実行されたときに、前記視覚スクリーニング装置に、
光屈折眼スクリーニング検査を実施させ、それにより前記屈折異常結果を生成させ、
前記スネレン等価視力の要求をサーバへ送信させ、前記要求は前記屈折異常結果を含み、
前記サーバから、前記スネレン等価視力を含む応答を、受信させる、
命令をさらに記憶する、視覚スクリーニング装置。
【請求項３】
請求項１に記載の視覚スクリーニング装置であって、
前記メモリは、前記処理ユニットによって実行されたときに、前記視覚スクリーニング装置に、
被検者の年齢を受信させ、
前記年齢に基づいて、前記視標を、前記調節された視標サイズで表示される、年齢に適した視標に、調節させる
命令をさらに記憶する、視覚スクリーニング装置。
【請求項４】
請求項３に記載の視覚スクリーニング装置であって、
前記年齢に適した視標は、物体、形、数字、および文字のうちの少なくとも一つを含む、視覚スクリーニング装置。
【請求項５】
請求項１に記載の視覚スクリーニング装置であって、
第一ディスプレイユニットと、
第二ディスプレイユニットと、
画像センサユニットと、
をさらに備え、
前記メモリは、前記処理ユニットによって実行されたときに、前記視覚スクリーニング装置に、
前記屈折異常結果を、前記第一ディスプレイユニット上に、表示させ、
前記視標を、前記第二ディスプレイユニット上に、表示させる
命令をさらに記憶する、視覚スクリーニング装置。
【請求項６】
請求項５に記載の視覚スクリーニング装置であって、
前記視覚スクリーニング装置からの前記被検者の距離を、判定するために使用されるレンジファインダをさらに備える、視覚スクリーニング装置。
【請求項７】
請求項１に記載の視覚スクリーニング装置であって、
前記メモリは、前記処理ユニットによって実行されたときに、前記視覚スクリーニング装置に、ぼやけた視標を表示させる命令をさらに記憶する、視覚スクリーニング装置。
【請求項８】
請求項１に記載の視覚スクリーニング装置であって、
前記被検者の距離は、修正されたスネレン検査中にわたって更新される、視覚スクリーニング装置。
【請求項９】
請求項８に記載の視覚スクリーニング装置であって、
前記調節された視標サイズは、前記修正されたスネレン検査中にわたって調節される、視覚スクリーニング装置。
【請求項１０】
請求項１に記載の視覚スクリーニング装置であって、
前記スネレン等価視力は、等価球面度数、球面度数、円柱度数、円柱軸、凝視角、瞳孔径、および瞳孔間距離のうちの少なくとも一つを使用して判定される、視覚スクリーニング装置。
【請求項１１】
視覚スクリーニング装置を用いた視力スクリーニングの方法であって、
屈折異常を判定するステップと、
前記屈折異常に対するスネレン等価視力を判定するステップと、
前記スネレン等価視力に基づいて、視標を判定するステップと、
前記視覚スクリーニング装置からの人の距離を判定するステップと、
前記視覚スクリーニング装置からの前記人の距離に基づいて、前記視標のサイズを調節し、それにより調節された視標を生成するステップと、
前記調節された視標を、前記視覚スクリーニング装置のディスプレイ上に、表示するステップと、
を備える、方法。
【請求項１２】
請求項１１に記載の方法であって、
前記スネレン等価視力の要求を送信するステップであって、前記要求は、サーバに送られる前記屈折異常を含む、ステップと、
前記サーバから、前記スネレン等価視力を含む応答を、受信するステップと、
をさらに備える方法。
【請求項１３】
請求項１２に記載の方法であって、
前記人の年齢を受信するステップと、
前記年齢に基づいて、前記視標を年齢に適した視標に調節するステップと、
前記年齢に適した視標を、調節された視標サイズで表示するステップと、
をさらに備える方法。
【請求項１４】
請求項１３に記載の方法であって、
前記年齢に適した視標を表示するステップは、物体、形、数字、および文字のうちの少なくとも一つを表示するステップを含む、方法。
【請求項１５】
請求項１１に記載の方法であって、
焦点がぼけた視標を表示するステップをさらに備える、方法。
【請求項１６】
視力スクリーニング装置であって、
処理ユニットと、
前記処理ユニットによって実行されたときに、前記視力スクリーニング装置に、
光屈折眼スクリーニング検査を実施させ、それにより屈折異常データを生成させ、
スネレン等価視力の要求をサーバへ送信させ、前記要求は前記屈折異常データを含み、
前記サーバから、前記スネレン等価視力を含む応答を、受信させ、
前記視力スクリーニング装置からの被検者の距離を判定させ、
前記被検者の距離および前記スネレン等価視力に基づいて、調節された視標サイズを判定させ、
前記調節された視標サイズで視標を表示させ、
ぼやけた視標を表示させる
命令を記憶するメモリと、
を備える、視力スクリーニング装置。
【請求項１７】
請求項１６に記載の視力スクリーニング装置であって、
前記メモリは、前記処理ユニットによって実行されたときに、前記視力スクリーニング装置に、
被検者の年齢を受信させ、
前記年齢に基づいて、前記視標を、年齢に適した視標に調節させ、前記年齢に適した視標は、前記調節された視標サイズで表示され、物体、形、数字、および文字のうちの少なくとも一つを含む、
命令をさらに記憶する、視力スクリーニング装置。
【請求項１８】
請求項１７に記載の視力スクリーニング装置であって、
第一ディスプレイユニットと、
第二ディスプレイユニットと、
画像センサユニットと、
をさらに備え、
前記メモリは、前記処理ユニットによって実行されたときに、前記視力スクリーニング装置に、
前記屈折データ結果を、前記第一ディスプレイユニット上に、表示させ、
前記視標を、前記第二ディスプレイユニット上に、表示させる
命令をさらに記憶する、視力スクリーニング装置。
【請求項１９】
請求項１８に記載の視力スクリーニング装置であって、
前記視力スクリーニング装置からの前記被検者の距離を、判定するために使用されるレンジファインダをさらに備える、視力スクリーニング装置。
【請求項２０】
請求項１９に記載の視力スクリーニング装置であって、
前記被検者の距離は、修正されたスネレン検査中にわたって更新され、
前記調節された視標サイズは、前記修正されたスネレン検査中にわたって調節され、
前記スネレン等価視力は、等価球面度数、球面度数、円柱度数、円柱軸、凝視角、瞳孔径、および瞳孔間距離のうちの少なくとも一つを使用して判定される、
視力スクリーニング装置。
【発明の詳細な説明】
【技術分野】
【０００１】
本出願は、視覚検査のためのシステムおよび方法に関し、特に、視力を判定するためのシステムおよび方法に関する。
【０００２】
関連出願の相互参照
本出願は、２０１７年１０月３１日に出願された米国特許仮出願第６２／５７９，４６２号の優先権および利益を主張し、その開示全体を参照により本願に援用する。
【発明の概要】
【課題を解決するための手段】
【０００３】
視力は、人が特定の距離で符号を識別する能力である。「正常」視力は、一般に視力２０／２０とみなされる。視力を判定するための一つの検査例として、被検者がスネレンチャート上の符号を読むことが挙げられる。通常、被検者は、スネレンチャートから１０フィートや２０フィートなどの一定の距離だけ離れて位置する。連続する各行は、それぞれ、上の行の符号よりも小さい符号を有する。その後、その人がどの行の符号を読めるかに基づいて視力が判定される。本開示の例示的なシステムは、光屈折眼スクリーニングを行い、視力検査のために、修正された視標を表示するように構成された視覚スクリーニング装置を、含む。通常の操作では、光屈折眼スクリーニングからの結果を使用してスネレン等価視力を判定する。いくつかの例では、そのようなスネレン等価視力を判定するために、被検者の人口統計に基づく情報、瞳孔動態、および他の情報の少なくともいずれかを使用することもある。装置からの被検者の距離に基づいて、調節された視標が、視力検査のために表示されうる。
【０００４】
例えば、ほとんどの対象者は光学的理由で視界がぼやけるために視力検査に不合格となり、眼の光学系は比較的良好であるが（おそらくは神経学的問題があり）視力検査に不合格となるのは対象者のごく一部のみであると理解される。したがって、所与の屈折異常での適切な視力を予測してから、その予測された視力にしたがって対象者に視標を読ませたり識別させたりすることにより、視力予測を確証でき、視力検査不合格を引き起こす神経学的問題またはその他の問題を有する少数の被検者も識別できる。また、以下で説明されるように、被検者の屈折異常が、対応する閾値を下回るかまたは上回る例では、その被検者は視力検査を進めることなく、単に眼科専門家に紹介することができる。
【０００５】
加えて、状況によっては、職業試験またはワーストケース試験（例えば、運転免許証の取得に関連する視覚検査など）のためにクリティカルライン視力スクリーニング検査を行うことが必要な場合がある。そのような状況例では、そのようなクリティカルライン視力スクリーニング（例えば合格／不合格）検査を施行するために、本明細書に記載のシステム、デバイス、および方法の少なくともいずれかを構成してもよい。
【０００６】
一態様では、例示的な視覚スクリーニング装置は、処理ユニットおよびメモリを含む。メモリは、処理ユニットによって実行されたときに、視覚スクリーニング装置に、屈折異常結果の評価に基づいてスネレン等価視力を判定させ、視覚スクリーニング装置からの被検者の距離を判定させ、被検者の距離およびスネレン等価視力に基づいて、調節された視標サイズを判定させ、調節された視標サイズで視標を表示させる命令を記憶する。
【０００７】
別の態様では、視覚スクリーニング装置を用いた視力スクリーニングの方法が開示される。例示的な方法は、屈折異常を判定するステップと、屈折異常に対するスネレン等価視力を判定するステップと、スネレン等価視力に基づいて視標を判定するステップと、視覚スクリーニング装置からの人の距離を判定するステップと、視覚スクリーニング装置からの人の距離に基づいて、視標のサイズを調節し、それにより調節された視標を生成するステップと、調節された視標を視覚スクリーニング装置のディスプレイに表示するステップとを含む。
【０００８】
一つ以上の実施形態の詳細は、添付の図面および以下の説明に記載される。これらの実施形態の他の特徴、目的および利点は、説明、図面および特許請求の範囲から明らかになるであろう。
【図面の簡単な説明】
【０００９】
本出願の一部を形成する以下の図面は、説明された技術の例示であり、特許請求の範囲をいかなる方法でも限定することを意味しない。
【図１】例示的な視力スクリーニング環境を示した概略ブロック図である。
【図２】図１の視力スクリーニング環境で使用される視覚スクリーニング装置の構成要素を示した概略ブロック図である。
【図３】図１の視力スクリーニング環境で使用される視覚スクリーニング装置の一実施形態を示した左前方斜視図である。
【図４】図３に示される視覚スクリーニング装置の一実施形態を示した後部平面図である。
【図５】視覚スクリーニング装置による視力スクリーニングの例示的な方法を示した図である。
【図６】図５に示される方法において光屈折眼スクリーニング検査を実施するための例示的な方法を示した図である。
【図７】図５に示される方法において修正された視標を判定するための例示的な方法を示した図である。
【図８】図５に示される方法において修正されたスネレン検査を実施するための例示的な方法を示した図である。
【図９Ａ】ぼやけた視標の例示的な実施形態を示した図である。
【図９Ｂ】図９Ａのぼやけた視標の鮮明なバージョンを示した図である。
【図１０】スネレン等価視力を判定するための例示的な方法を示した図である。
【図１１】図１の視力スクリーニング環境で使用されるコンピューティングデバイスの例示的な物理的構成要素を示した図である。
【図１２】対応する例示的な視力値に対してプロットされた、例示的な屈折異常値を含むデータプロットを示した図である。
【図１３】被検者の対応する例示的な年齢に対してプロットされた、例示的な視力値を含むデータプロットを示した図である。
【図１４】例示的な男性および女性の対象者についてプロットされた、例示的な視力値を含むデータプロットを示した図である。
【図１５】本開示の別の例示的な方法を示したフローチャートである。
【発明を実施するための形態】
【００１０】
本開示の様々な実施形態が、図面を参照して詳細に説明され、図面において同様の参照番号は、いくつかの図を通して同様の部分およびアセンブリを表す。加えて、本明細書に記載されるいずれの例も限定を意図するものではなく、多数の可能な実施形態のいくつかを記載したものにすぎない。
【００１１】
子供および成人の視力スクリーニングには、様々な目的がある。例えば、人の視力を用いて、治療および／または矯正を判定することができる。通常の視力検査は、人が所与の距離で、スネレンチャートに印刷された符号を読むという検査方法に、依存している。その視力は、その人がチャートのどのサイズの符号を判別できるかに基づく。検査は通常、人が片眼を覆いながら一番上の最も大きな符号を読むことから始まる。そして、それ以上符号が判別できなくなるまで、各行の各符号を読み続ける。このプロセスは反対側の眼でも繰り返される。２０／２０の「正常視力」の人は、各検査でスネレンチャートの約３０個の符号を読むことになる。
【００１２】
いくつかの例では、大勢の人が、所与の時間枠内に視力スクリーニングを受ける。例えば、公立学校の幼稚園生の集団が、授業中にスクリーニングされることがある。通常、各幼稚園生は自分がスクリーニングされる番を待ち、それぞれの眼で最大３０個の符号を読む。これは時間のかかる作業であり、子供たちの忍耐の限界が試されうる。
【００１３】
概して、本明細書で開示および検討されるシステムおよび方法は、視力検査の改善を目指して行われる。本明細書で開示および検討されるシステムおよび方法は、被検者にそれぞれの眼で３０個の符号を読ませるのではなく、推定される視力に対応する視標を最初に示す。これにより、被検者に、簡単に読めるまたは読めない、行および符号を、読み上げるよう求め、時間を無駄にすることがない。
【００１４】
図１は、例示的な視力スクリーニング環境１００の概略ブロック図である。例示的な視力スクリーニング環境１００は、視覚スクリーニング装置１０４、サーバ１０６、およびデータベース１０８を含む。視覚スクリーニング装置１０４とサーバ１０６とは、ネットワーク１１０を介して通信する。通常の操作では、ユーザＵが、視覚スクリーニング装置１０４を操作して被検者ＥＰを検査する。他の実施形態は、より多いまたはより少ない構成要素を含みうる。例えば、本明細書に記載の実施形態のいずれにおいても、スクリーニング装置１０４のプロセッサまたは他のコントローラによって、屈折異常の判定、スネレン等価視力の判定、または他の判定のうちの一つ以上が行われてもよい。そのような実施形態において、そのような判定は、スクリーニング装置１０４のプロセッサまたはコントローラだけにより、または少なくとも部分的にサーバ１０６と連動して、行われてもよい。
【００１５】
視覚スクリーニング装置１０４は、被検者ＥＰに対して視力検査を行うように構成されたポータブルデバイスである。一般的な環境には学校および移動可能なまたは常設の診療所が含まれるが、視覚スクリーニング装置１０４は持ち運び可能であるため、ユーザＵが、視覚スクリーニング装置１０４を持って行ければ、事実上どこでも使用可能である。
【００１６】
視覚スクリーニング装置１０４は、屈折異常検査を行うこと、および視力検査を容易にすること、の両方が可能である。広義では、屈折異常検査は、刺激を表示するステップと、瞳孔を検出するステップと、瞳孔の画像を得るステップと、瞳孔画像データを分析して屈折異常結果を生成するステップとを含む。また、広義では、視力検査は、視標を判定するステップと、視覚スクリーニング装置１０４からの被検者ＥＰの距離を判定するステップと、動的視標を表示するステップとを含む。
【００１７】
いくつかの例では、視覚スクリーニング装置１０４は、サーバ１０６と通信しうる。例えば、視覚スクリーニング装置１０４は、上述のように瞳孔画像データの分析に基づいて屈折異常結果を判定しうる。このような結果は、視覚スクリーニング装置１０４によって、被検者ＥＰの人口構成、球面度数、円柱度数、円柱軸、瞳孔測定および他の特性の少なくともいずれかに、少なくとも部分的に基づいて、判定可能である。さらに別の例では、このような結果は、視覚スクリーニング装置１０４によって、調節域、両眼の視線ずれ、固視標の「明るさ」に対する瞳孔反応、および以前からの眼の状態または神経学的状態に少なくとも部分的に基づいても、判定可能である。視覚運動性眼振（ＯＫＮ）データなどの客観的視力データも使用可能である。いくつかの例では、サーバ１０６は、例えば、データベース１０８および電子診療記録／電子医療記録データベースの少なくとも一方と通信することにより、これらのデータの一つ以上へアクセスしうる。そのような例では、サーバ１０６は、視覚スクリーニング装置１０４が少なくとも部分的にそのようなデータに基づいて被検者ＥＰの屈折異常を判定できるように、視覚スクリーニング装置１０４にそのような情報を提供しうる。加えてまたはその代わりに、そのような情報は、視覚スクリーニング装置１０４と関連付けられているか通信するかの少なくとも一方をするメモリ内に、ローカルに記憶されてもよい。視覚スクリーニング装置１０４は、ネットワーク１１０を介して、屈折異常検査結果をサーバ１０６に送信してもよい。サーバ１０６は、通常はデータベース１０８と組み合わされて、視覚スクリーニング装置１０４から受信された屈折異常データに基づいて、対応する視力データを判定する。そして、サーバ１０６は、対応する視力データを視覚スクリーニング装置１０４に送信する。視覚スクリーニング装置１０４は、順番に、対応する視力データを使用して被検者ＥＰに視力検査を提供する。
【００１８】
代替的実施態様では、視覚スクリーニング装置１０４は、屈折異常データに基づいて、対応する視力データを判定する。これらの実施態様では、視覚スクリーニング装置１０４は、通信データやアルゴリズムの更新の有無を確認するためにサーバ１０６と通信してもよいが、そうでなければ、屈折異常または対応する視力データを判定するためにサーバ１０６およびデータベース１０８の少なくとも一方には依存しない。以下、視覚スクリーニング装置１０４、および視覚スクリーニング装置１０４を使用する方法を、より詳細に説明する。
【００１９】
視覚スクリーニング装置１０４は、図１１を参照して以下に図示および説明されるコンピューティングデバイス８０１を、含む。いくつかの例では、視覚スクリーニング装置１０４は、携帯電話、タブレットコンピュータ、ラップトップコンピュータなどのユーザＵ固有のデバイスと通信して、これらのデバイスに結果を届けるまたは通信しうる。
【００２０】
サーバ１０６は、視覚スクリーニング装置１０４と通信して、クエリに応答し、データを受信し、データベース１０８と通信する。視覚スクリーニング装置１０４からの通信は、ネットワーク１１０を介して生じ、この通信は、対応する視力データの要求を含みうる。サーバ１０６は、視覚スクリーニング装置１０４からのこれらの要求に基づいて作動し、それらのクエリに対する一つ以上の応答を判定し、視覚スクリーニング装置１０４に返答可能である。サーバ１０６は、データベース１０８にアクセスして、視覚スクリーニング装置１０４によるトランザクションを完了することができる。サーバ１０６は、図１１を参照して以下に図示および説明される一つ以上のコンピューティングデバイス８０１を、含む。
【００２１】
データベース１０８は、様々なタイプの情報を記憶する、サーバ１０６によってアクセス可能な一つ以上のデータベースシステムでありうる。例えばデータベース１０８は、屈折異常検査に基づいてスネレン等価視力を判定するために使用される、相関関係およびアルゴリズムを、記憶しうる。データベース１０８は、臨床データも含みうる。データベース１０８は、サーバ１０６上にあってもよいし、またはサーバ１０６によってアクセス可能な別個のコンピューティングデバイス（単数または複数）上にあってもよい。
【００２２】
ネットワーク１１０は、通常、当技術分野で知られる任意のタイプの無線ネットワークまたはその他の通信ネットワークである。ネットワーク１１０の例には、インターネット、イントラネット、ワイドエリアネットワーク（ＷＡＮ：ｗｉｄｅ  ａｒｅａ  ｎｅｔｗｏｒｋ）、ローカルエリアネットワーク（ＬＡＮ：ｌｏｃａｌ  ａｒｅａ  ｎｅｔｗｏｒｋ）、および仮想プライベートネットワーク（ＶＰＮ：ｖｉｒｔｕａｌ  ｐｒｉｖａｔｅ  ｎｅｔｗｏｒｋ）、セルラネットワーク接続、ならびに８０２．１１ａ、ｂ、ｇ、ｎ、およびａｃの少なくともいずれかなどのプロトコルを使用して行われる接続が含まれる。
【００２３】
２０１２年２月１７日に出願された米国特許出願第１３／３９９，６８２号は、光屈折眼スクリーニングのためのシステムおよび方法を記載し、その開示は、その全体が参照により本明細書に援用される。視覚スクリーニング装置１０４の例示的構成およびその使用のための方法は、以下、図２〜図７を参照して図示および説明される。
【００２４】
図２は、例示的な視覚スクリーニング装置１０４の構成要素を示した概略ブロック図である。例示的な視覚スクリーニング装置１０４は、視覚スクリーニングモジュール１０７を備えたコンピューティングユニット８０１、画像センサアレイ１１１、第一ディスプレイユニット１１２、第二ディスプレイユニット１１４、光センサ１２０、レンジファインダ１２２、マイクロフォン１２６、および無線モジュール１２８を含む。第二ディスプレイユニット１１４はユーザＵに対向して配置され、第一ディスプレイユニット１１２は被検者ＥＰに対向して配置される。他の実施形態は、より多いまたはより少ない構成要素を含みうる。
【００２５】
コンピューティングユニット８０１は、画像センサアレイ１１１、第一ディスプレイユニット１１２、第二ディスプレイユニット１１４、光センサ１２０、レンジファインダ１２２、マイクロフォン１２６および無線モジュール１２８を含む視覚スクリーニング装置１０４の構成要素と通信する。レンズが調節可能である実施形態では、コンピューティングユニット８０１は、レンズの位置を調節する機械モータなどのデバイスとも通信する。例示的なコンピューティングユニット８０１の構成要素は図７に示され、以下、説明する。
【００２６】
視覚スクリーニングモジュール１０７は、例えば、第一ディスプレイユニット１１２に屈折異常結果を表示するための命令、画像センサアレイ１１１に受信された画像を処理するための命令、およびユーザＵに被検者ＥＰの視標表示および検査結果について案内および通知するための命令を含む。視標は、例えば文字、形、物体、および数字を含む。
【００２７】
画像センサアレイ１１１は、光を受け取り、画像データをコンピューティングユニット８０１に伝達する。画像センサアレイ１１１は、例えば、アクティブ画素センサ（ＡＰＳ）としても知られる相補型金属酸化膜半導体（ＣＭＯＳ）センサアレイ、または電荷結合素子（ＣＣＤ）センサである。いくつかの実施形態では、レンズが、視覚スクリーニング装置１０４によって支持され、画像センサアレイ１１１の前に位置する。
【００２８】
画像センサアレイ１１１は、複数行の画素および複数列の画素を有する。いくつかの実施形態では、画像センサアレイ１１１は、約１２８０×１０２４画素、約６４０×４８０画素、約１５００×１１５２画素、約２０４８×１５３６画素、または約２５６０×１９２０画素を有する。画像センサアレイ１１１は、毎秒約２５フレーム（ｆｐｓ：ｆｒａｍｅｓ  ｐｅｒ  ｓｅｃｏｎｄ）、約３０ｆｐｓ、約３５ｆｐｓ、約４０ｆｐｓ、約５０ｆｐｓ、約７５ｆｐｓ、約１００ｆｐｓ、約１５０ｆｐｓ、約２００ｆｐｓ、約２２５ｆｐｓまたは約２５０ｆｐｓをキャプチャすることができる。上記の画素数は単なる例であり、さらなる実施形態では、画像センサアレイ１１１は、上記の画素数よりも多いまたは少ない数を含む複数の行を有しうるものと理解される。加えて、画像センサアレイ１１２は、上記の画素数よりも多いまたは少ない数を含む複数の列を有しうる。
【００２９】
画像センサアレイ１１１は、受光面を有し実質的に均一な長さおよび幅を有するフォトダイオードを、含む。露出中に、フォトダイオードは入射光を電荷に変換する。画像センサアレイ１１１は、グローバルシャッタとして操作されうる、すなわち実質的に全てのフォトダイオードが同時に、実質的に同一の長さの時間にわたって、露出される。あるいは、画像センサアレイ１１１は、露出が画像の一方の側から他方の側へ波として移動するローリングシャッタ機構を用いて、使用される。さらに他の実施形態では、画像センサアレイ１１１を操作する他の機構が可能である。画像センサアレイ１１１は、デジタル画像をキャプチャすることができる。デジタル画像は、ＪＰＥＧ、ＢＩＴＭＡＰ、ＴＩＦＦ、ＰＧＭ、ＰＧＶなどの様々なフォーマットでキャプチャされうる。
【００３０】
第一ディスプレイユニット１１２は、視覚スクリーニング装置１０４の配置および検査結果についての情報をユーザＵに伝達する。第一ディスプレイユニット１１２は、例えば液晶ディスプレイ（ＬＣＤ：ｌｉｑｕｉｄ  ｃｒｙｓｔａｌ  ｄｉｓｐｌａｙ）またはアクティブマトリックス有機発光ディスプレイ（ＡＭＯＬＥＤ：ａｃｔｉｖｅ  ｍａｔｒｉｘ  ｏｒｇａｎｉｃ  ｌｉｇｈｔ  ｅｍｉｔｔｉｎｇ  ｄｉｓｐｌａｙ）である。第一ディスプレイユニット１１２は、ユーザＵからの入力を受信するためにタッチセンサ方式が可能である。
【００３１】
第一ディスプレイユニット１１２上でユーザＵに提供される情報には、例えば被検者ＥＰの視覚スクリーニング装置１０４からの距離、焦点の質、評価の進捗、評価の結果、および結果を別のデータベースに送信する選択肢が含まれる。
【００３２】
第二ディスプレイユニット１１４は、被検者ＥＰに一つ以上の視覚検査を表示する。一実施態様では、第二ディスプレイユニット１１４は、液晶ディスプレイ（ＬＣＤ）またはアクティブマトリクス有機発光ディスプレイ（ＡＭＯＬＥＤ）などのディスプレイである。第二ディスプレイユニット１１４は、可視光ＬＥＤおよび近赤外光ＬＥＤを有する発光ダイオード（ＬＥＤ）アレイも含みうる。いくつかの実施態様では、ビームスプリッタがＬＥＤアレイから放出された光を被検者に向ける。第二ディスプレイユニット１１４は、コンピューティングユニット８０１と通信する。
【００３３】
ＬＥＤアレイの近赤外光ＬＥＤは、約８５０ナノメートル（ｎｍ：ｎａｎｏｍｅｔｅｒｓ）の波長を有し、瞳孔の画像をキャプチャするのに使用される。一般に、ＬＥＤアレイの可視光ＬＥＤは、約６３０ｎｍ未満の波長を有する。この構成により、視覚的刺激が、被検者ＥＰに示されるが、画像センサアレイ１１１によってキャプチャされた画像では見えない。いくつかの実施形態では、可視光ＬＥＤは、ＬＥＤアレイにおいて近赤外光ＬＥＤの間に配置され、近赤外光ＬＥＤと同一平面上にある。
【００３４】
いくつかの実施形態では、第二ディスプレイユニット１１４で使用される可視光ＬＥＤの中にはアンバー色ＬＥＤが含まれる。本明細書に記載の手順に加えて、そのようなＬＥＤは、とりわけアイトラッキングおよび脳震盪プロトコルの少なくとも一方に関係する検査を含む多様な検査手順に、有用性を有しうる。アンバー色ＬＥＤは、約６０８ｎｍ〜約６２８ｎｍの波長を有する。コンピューティングユニット８０１は、ＬＥＤアレイのＬＥＤに対する電力量を調整することができる。被検者ＥＰの縮瞳および眼精疲労を最小化するために、アンバー色ＬＥＤは低〜中程度の電力で点灯される。例えば２０ｍＡのＬＥＤが、約２ｍＡ〜約１０ｍＡの間で稼働させられうる。あるいは、低輝度アンバー色ＬＥＤ、例えば約０．５ｍＡで稼働するＬＥＤ、が使用されうる。加えて、ＬＥＤはパルス変調されうる。アンバー色以外の色の可視光ＬＥＤも、第二ディスプレイユニット１１４に存在する場合、低〜中程度の電力で動作させられうる。さらに、いくつかの例では、視覚スクリーニング装置１０４は、ＬＥＤアレイの一つ以上のＬＥＤの光路に配置された一つ以上の拡散器を含みうる。例えば、そのような拡散器は、一つ以上のＬＥＤによって放出された放射線を少なくとも部分的に拡散するように構成された、窓、レンズ、プリズム、フィルタおよび他の実質的に透明な光学構成要素の少なくともいずれか一つを、含みうる。その結果、例えば一つ以上のＬＥＤによって放出された光は、被検者ＥＰによって観察されたときにそれほど明るく見えないかもしれない。一部のそのような例では、一つ以上のＬＥＤによって放出された光をこのように拡散することにより、被検者ＥＰが調節する量が減少し、その結果、視覚スクリーニング装置１０４によって行われる屈折異常測定の精度が向上しうる。したがって、そのような屈折異常測定に基づいて行われるスネレン等価視力判定の精度も向上しうる。
【００３５】
視覚スクリーニング装置１０４は、各検査環境の詳細を記録することができる。例えば、視覚スクリーニング装置１０４の光センサ１２０は、周囲光の量、時刻、周囲ノイズレベルなどを記録してもよい。これらのデータは、例えば屈折異常検査を評価するために追加的に使用されうる。例えば、視覚スクリーニング装置１０４によって、瞳孔径と周囲光の量との間の関係に少なくとも部分的に基づいて、被検者ＥＰの予想瞳孔サイズが判定されてもよい。したがって、所与の量の周囲光に対して被検者ＥＰの瞳孔が不適切である場合には、視覚スクリーニング装置１０４は、そのような情報に少なくとも部分的に基づいて、被検者ＥＰがそのような条件下で強い調節反応を有していることを判定し、より正確な屈折異常検査結果を判定する上でこの情報を利用してもよい。したがって、そのような屈折異常の測定に基づいてなされるスネレン等価視力の判定の精度も向上しうる。
【００３６】
光センサ１２０は、視覚スクリーニング装置１０４の周りの周囲光強度を検出する。ある輝度閾値を超えると、被検者ＥＰの瞳孔は収縮して、視覚スクリーニング装置１０４が被検者ＥＰの屈折異常を正確に判定するように構成することができないほど小さな瞳孔径となる。コンピューティングユニット８０１が、光センサ１２０とともに、周囲光が明るすぎることを判定した場合には、第二ディスプレイユニット１１４は、ユーザＵまたは被検者ＥＰに、遮光するかまたは周囲光がより少ない環境に移動するよう通信する。いくつかの例では、コンピューティングデバイス８０１は、光センサ１２０から受信された一つ以上の信号に少なくとも部分的に基づいて、第二ディスプレイユニット１１４の輝度、鮮鋭度、コントラストおよび他の動作特性の少なくともいずれかの調節、および他の方法での制御の少なくとも一方をするように構成されてもよい。例えば、コンピューティングデバイス８０１は、光センサ１２０によって測定された周囲光強度に少なくとも部分的に基づいて、コントラスト比を所望のレベルまたは所望の範囲内に維持するために第二ディスプレイユニット１１４の輝度、バックライト、および他のパラメータの少なくともいずれかを（例えば自動的に、動的に、およびリアルタイムで、の少なくともいずれかで）調節するように構成されてもよい。
【００３７】
いくつかの例では、視覚スクリーニング装置１０４の画像センサアレイ１１１および他の構成要素の少なくとも一方は、（単独でまたは光センサ１２０とともに）光センサ１２０に関して上述した同じ機能の一つ以上を行ってもよい。特に、いくつかの例では、画像センサアレイ１１１は周囲環境の初期画像をキャプチャしてもよい。その後、コンピューティングユニット８０１は、キャプチャされた画像に少なくとも部分的に基づいて、本明細書に記載される光屈折操作の一つ以上を行うために多すぎる周囲光または赤外光が存在するか否かを判定してもよい。存在する場合には、コンピューティングユニット８０１は、ユーザＵまたは被検者ＥＰに、遮光するかまたは周囲光がより少ない環境に移動するよう命令するように、第二ディスプレイユニット１１４を制御してもよい。
【００３８】
例えば、いくつかの実施形態では、画像センサアレイ１１１および視覚スクリーニング装置１０４の少なくとも一方は一般に、周囲赤外光を閾値レベルまで許容するように構成されてもよい。そのような例では、白熱電球や太陽光からの赤外光が多すぎると、瞳孔画像が露出し過ぎて白っぽくなりうる。これに対し周囲可視光が多すぎると、被検者ＥＰの瞳孔が小さすぎて正確に測定できなくなりうる。このような例では、画像センサアレイ１１１および視覚スクリーニング装置１０４の少なくとも一方は一般に、周囲可視光および赤外光の両方を感知し、ユーザＵにそれぞれの閾値を上回りうる可視光および赤外光レベルについて通知するように構成されてもよい。このような例では、フォトダイオードを使用して周囲光の全体的レベルを感知し、全ての赤外ＬＥＤをオフにして画像センサアレイ１１１によりキャプチャされた画像を、周囲赤外光の尺度として使用することができよう。
【００３９】
レンジファインダ１２２は、コンピューティングユニット８０１とともに、視覚スクリーニング装置１０４からの被検者ＥＰの距離を判定する。いくつかの実施形態では、レンジファインダ１２２は、赤外線トランシーバユニット、超音波トランシーバユニット、または当業者に知られる別の距離測定ユニットである。
【００４０】
一般に、被検者ＥＰは、視覚スクリーニング装置１０４から約１メートル（ｍ）、１０フィート、または２０フィートに位置する。１６インチ、２０インチ、３０インチ、３５インチ、４０インチ、４５インチなどの他の距離も可能である。上に列挙された距離は例にすぎず、さらなる実施形態では、上記の距離よりも長いまたは短い距離が、本明細書に記載される視力検査中および他の検査中の少なくとも一方で使用されてもよいものと理解される。視覚スクリーニング装置１０４は、機能的画像をもたらす焦点距離を得るために視覚スクリーニング装置１０４と被検者ＥＰ間の相対的配置をどのように調節するかについて、被検者ＥＰおよびユーザＵの少なくとも一方にガイダンスを提供する。ユーザＵが視覚スクリーニング装置１０４を操作する実施形態では、ガイダンスは第一ディスプレイユニット１１２に表示される。例えば、第一ディスプレイユニット１１２において、被検者ＥＰが近すぎること、遠すぎること、または適切な距離内にいることをユーザＵに指示することができる。
【００４１】
いくつかの実施形態では、焦点距離は約０．２ｍ、約０．３ｍ、約０．４ｍ、０．５ｍ、約０．６ｍ、約０．７ｍ、約０．７５ｍ、約０．８ｍ、約０．９ｍ、約１．０ｍである。
【００４２】
マイクロフォン１２６は、被検者ＥＰが話した応答を受信する。実施形態において、被検者ＥＰは視力検査の一部として話す。例えば、被検者ＥＰは、第二ディスプレイユニット１１４上に示された文字などの視標を読むように求められ、マイクロフォン１２６が被検者ＥＰの応答を受信する。その後、コンピューティングユニット８０１が、音声認識ソフトウェアとともに応答を復号し、復号された応答を視力判定に使用する。加えてまたはその代わりに、ユーザＵは、手動および第一ディスプレイユニット１１２上に提示された一つ以上のデータ入力／タッチ入力フィールドとインタラクトすることの少なくとも一方によって、被検者ＥＰの応答を記録してもよい。
【００４３】
無線モジュール１２８は、無線接続を使用して屈折異常検査データおよび視力検査データの少なくとも一方を受信および送信するために、外部データベースに接続することができる。無線接続には、セルラネットワーク接続、ならびに８０２．１１ａ、ｂ、ｇおよびａｃの少なくともいずれか一つなどのプロトコルを使用して行われる接続が含まれうる。他の例では、ブルートゥース（登録商標）、Ｗｉ‐Ｆｉダイレクト、ＲＦＩＤ（ｒａｄｉｏ−ｆｒｅｑｕｅｎｃｙ  ｉｄｅｎｔｉｆｉｃａｔｉｏｎ）またはジグビーなどの一つ以上の有線または無線プロトコルを使用して、視覚スクリーニング装置１０４と外部ディスプレイとの間で無線接続が直接達成されうる。その他の構成も可能である。
【００４４】
外部データベースへのデータの通信は、被検者の検査データのレポート印刷またはさらなる評価を可能にしうる。例えば、収集されたデータおよび対応する検査結果のデータは無線で送信され、公認の医療専門家がアクセス可能なリモートデータベースに記憶される。
【００４５】
図３および図４は、視覚スクリーニング装置２００の例示的な実施形態を示す。図３は左前方斜視図であり、図４は後部平面図である。例示的な視覚スクリーニング装置２００は、視覚スクリーニング装置１０４に関して上述した一部またはすべての構成要素を含む。例示的な視覚スクリーニング装置２００は、ハウジング２０２、第一ディスプレイユニット２０４、第二ディスプレイユニット２０６、およびレンジファインダ２０８を含む。例示的な視覚スクリーニング装置２００の市販の実施形態は、Ｗｅｌｃｈ  Ａｌｌｙｎ（登録商標）（スカニアトレス・フォールズ、ニューヨーク州）のＳｐｏｔ（商標）Ｖｉｓｉｏｎ  Ｓｃｒｅｅｎｅｒ  ＶＳ１００である。他の実施形態は、より多いまたはより少ない構成要素を含みうる。
【００４６】
ハウジング２０２は、視覚スクリーニング装置２００の構成要素の支持、ならびにハンドヘルド操作を容易にするように構成された一つ以上の態様を提供する。場合によっては、例示的な視覚スクリーニング装置２００は、三脚などの面上に装着されることもできる。第一ディスプレイユニット２０４は通常、ユーザが様々な制御インタフェースをナビゲートし、検査結果を見ることができるように、視覚スクリーニング装置２００を操作するユーザに対向する。第一ディスプレイユニット２０４は、ユーザに対してある角度に向けられて図示されているが、異なる実施形態では他の向きを有しうる。
【００４７】
第二ディスプレイユニット２０６は、第二ディスプレイユニット２０６が通常の操作中に被検者に対向するように、ハウジング２０２の反対側の端部に配置される。第二ディスプレイユニット２０６は、上述のように、ディスプレイおよび一つ以上のＬＥＤまたはＬＥＤアレイを含みうる。画像センサアレイは、ハウジング２０２の内部の第二ディスプレイユニット２０６の後方に、または第二ディスプレイユニット２０６に隣接して配置される。一実施態様では、被検者の瞳孔から進む光が第二ディスプレイユニット２０６を通過し、そこで光は画像センサアレイによって受け取られる。あるいは、光が画像センサアレイデバイスに到達するために第二ディスプレイユニット２０６を通過する必要がないように、画像センサアレイが第二ディスプレイユニット２０６に隣接して（例えば第二ディスプレイユニット２０６の下方または上方に）配置される。さらなる例では、第二ディスプレイユニット２０６は、画像センサアレイに直交して設置されてもよい。そのような例では、第二ディスプレイユニット２０６は、画像センサアレイがそれを通して一つ以上の画像をキャプチャできる窓、ミラー、レンズまたはその他の実質的に透明な基板に画像を投影するように構成されうる。
【００４８】
レンジファインダ２０８は、視覚スクリーニング装置２００から被検者までの距離を判定する。より具体的には、レンジファインダ２０８は、被検者の顔から第二ディスプレイユニット２０６までの距離を判定する。本明細書の他の箇所で論じられるように、レンジファインダ２０８は、検査の開始時に被検者の距離を判定すること、および様々な検査中にわたって被検者の距離を動的に判定することの少なくとも一方を行うことができる。
【００４９】
図５は、視覚スクリーニング装置による視力スクリーニングのための例示的な方法４００を示す。概して、例示的な方法４００は、光屈折眼スクリーニング検査を実施するステップ（操作４０２）、修正された視標を判定するステップ（操作４０４）、および修正されたスネレン検査を実施するステップ（操作４４０）を含む。例示的な方法４００を実施するために、本明細書に開示される例示的な視覚スクリーニング装置を使用することができる。他の実施形態は、より多いまたはより少ない操作を含みうる。本明細書に記載される一つ以上のスネレン検査は、特定の視標を利用した視力検査の例にすぎないものと理解される。さらなる実施形態では、本明細書に記載のシステム、デバイスおよび方法の少なくともいずれかは、スネレン、ＬｏｇＭＡＲ、タンブリングＥ、ランドルトＣ、およびリーシンボルを含むがこれらに限定されず、異なる地域的選好を網羅するためにいくつかの異なる視標をサポートしうる。したがって、本明細書に記載される視力検査のいずれも、２０／２０、２０／３０などの形式で視力検査結果を生成可能な視標検査を含みうる。
【００５０】
例示的な方法４００は、光屈折眼スクリーニング検査を実施するステップ（操作４０２）から始まる。光屈折眼スクリーニング検査は、被検者の視覚、視界、および身体的特徴に関する一つ以上のパラメータを取得し、屈折異常結果を生成する。光屈折眼スクリーニング検査（操作４０２）の屈折異常結果を使用して、一つ以上の後続のスネレン検査のための修正された視標が判定される。
【００５１】
図６を参照すると、光屈折眼スクリーニング検査を実施するステップ（操作４０２）は、年齢の入力を促すステップ（操作４０４）を含む。ここで、視覚スクリーニング装置を操作する人が、検査されている人の年齢を入力する。通常は、視覚スクリーニング装置の第一ディスプレイユニットがタッチセンサ方式または音声操作方式であり、それによりユーザが被検者の年齢を入力できる。
【００５２】
次に、検査画像が表示される（操作４０６）。操作４０６中に表示される検査画像は、固視標、物体、文字などであり得、前述のタイプの一つ以上を含んでよい。例示的な検査画像およびそれらを表示するためのプロセスは、参照によりその全体が援用されるものとして上述した米国特許出願第１３／３９９，６８２号に記載される。
【００５３】
一つ以上の検査画像の表示の間（操作４０６）に、視覚スクリーニング装置が、被検者の瞳孔の画像をキャプチャおよび処理する（操作４０８）。瞳孔測定画像のキャプチャおよび処理を含む画像処理の例は、参照によりその全体が援用されるものとして上述した米国特許出願第１３／３９９，６８２号に記載される。
【００５４】
一つ以上の画像をキャプチャおよび処理（操作４０８）した後、屈折異常が判定される（操作４１０）。屈折異常は、被検者の視覚の特性を説明する一つのパラメータでありうる。屈折異常は、被検者の視覚および身体的特性に関する二つ以上のパラメータを含むのがより好ましい。例えば、屈折異常は、被検者の等価球面度数、球面度数、円柱度数、円柱軸、凝視角、瞳孔径、および瞳孔間距離に関するデータを含みうる。
【００５５】
ここで図７を参照すると、修正された視標を判定するステップ（操作４４０）が示される。上記のように、いくつかの例では、屈折異常およびスネレン等価視力の少なくとも一方の判定に伴う計算、操作および判定の少なくともいずれかは、どれもサーバ１０６からの支援またはサーバ１０６との通信を用いてまたは用いずに、視覚スクリーニング装置１０４上でローカルに行われうる。しかし、議論を進めるために、図７では、視覚スクリーニング装置１０４とサーバ１０６との間で情報が送信され、視覚スクリーニング装置１０４によって判定された屈折異常検査結果に少なくとも部分的に基づいて、サーバ１０６がスネレン等価視力を判定する実施形態にしたがって、説明される。最初に、屈折異常結果が、無線接続を介してサーバ１０６に送信されてもよい（操作４４２）。いくつかの例では、屈折異常結果データは未加工の形式で送信され、サーバ１０６がそれら生データを処理する。あるいは、送信は、屈折異常検査データの処理からもたらされた一つ以上のパラメータの値を示す処理済みデータを含む。いくつかの例では、サーバ１０６への送信は、サーバからの推定視力の要求を含みうる。
【００５６】
次に、視覚スクリーニング装置１０４は、サーバ１０６から推定視力データを受信してもよい（操作４４４）。推定視力データは、屈折異常データの評価に基づいて判定されたスネレン等価視力を含む。スネレン等価視力の例には、２０／２０、２０／４０、２０／８０などが含まれる。いくつかの例では、そのようなスネレン等価視力は、１０フィートに等しい、被検者ＥＰと検査デバイスとの間の距離に基づいて、提供されてもよい。そのような例では、スネレン等価視力は、１０／１０、１０／２０、１０／３０、１０／４０などを含みうる。さらなる例では、スネレン等価視力は、６メートルに等しい、被検者と検査デバイスとの間の距離に基づいて、提供されてもよい。そのような例では、スネレン等価視力は、６／６、６／１２、６／２４などを含みうる。本明細書に記載される例のいずれにおいても、ユーザＵは、様々な視力検査の結果を表示する目的で上記の形式の一つ以上を（例えば、視覚スクリーニング装置１０４のセットアップ画面を介して、および、視覚スクリーニング装置１０４を使用して行われる視力検査中にリアルタイムで、の少なくとも一方で）選択してもよい。例えばユーザＵは、視覚スクリーニング装置１０４が使用されている国および地理的領域（例えば、米国、北米、南米、欧州、中国、日本など）の少なくとも一方を選択してもよく、視覚スクリーニング装置１０４は、選択された国および地理的領域の少なくとも一方の基準（例えば、メートル単位、標準単位など）に対応する様式でフォーマットされた、スネレン等価視力および視力検査結果の少なくとも一方の表示、および他の方法による出力、の少なくとも一方を行ってもよい。そのような選択は、視覚スクリーニング装置１０４の一つ以上の制御部、ユーザインタフェース構成要素、または他の構成要素を介して行われてもよい。
【００５７】
その後、視標を修正するか否かの判定が行われる（決定４４６）。視標を修正するか否か（決定４４６）の判定は通常、被検者の年齢に基づいて行われる。実施態様に応じて、様々な年齢集団が特定の視標を有しうる。年齢に適した視標は、所与の年齢の多くの子供が認識できる符号である。例えば、アルファベットの文字を読んだり認識したりするのに十分な年齢ではない子供には、一つ以上の形（例えば三角形、四角形、円など）、認識可能な画像（木、家、犬など）、または子供が明確に識別できるその他のアイテムを含む視標が示されてもよい。一方で、文字を読んだり認識したりするのに十分な年齢の子供には、標準のスネレン視標が提示されてもよい。年齢集団の例には、１〜２歳、２〜５歳、５〜７歳、７歳超が含まれる。別の実施態様では、６歳などの所定の年齢未満のいずれの被検者にも、修正された視標が提供される。他の年齢範囲および閾値が考えられる。さらに、本明細書に記載される例のいずれにおいても、ユーザＵは、（例えば、視覚スクリーニング装置１０４のセットアップ画面を介して、および、視覚スクリーニング装置１０４を使用して行われる視力検査中にリアルタイムで、の少なくとも一方で）上記の視標形式の一つ以上を選択してもよい。例えば、子供が標準のスネレン型視力検査の一部として提示された文字を読むのに苦労している場合には、ユーザＵは、その子供の視力検査を完了するために、代わりの視標プロトコルまたは形式（例えば、形または画像に基づく一連の視標）をリアルタイムで（例えば、検査中に）選択してもよい。そのような選択は、視覚スクリーニング装置１０４の一つ以上の制御部、ユーザインタフェース構成要素、または他の構成要素を介して行われうる。
【００５８】
視標が修正される必要がない場合には、推定視力に対応する視標が判定される（操作４４８）。ほとんどの場合において、修正されていない視標は文字である。
【００５９】
視標が修正される必要がある場合には、年齢に適した視標が判定される（操作４５０）。上述のように、年齢に適した視標を判定するステップは、被検者の集団または下位集団を判定するステップを含む。年齢、集団または下位集団に基づいて、適切な視標が判定される。例えば５歳未満の子供には、物体または形が年齢に適しうる。本明細書に記載される例のいずれにおいても、ユーザＵは、視力検査中に提供するために国に適した視標形式および地理的領域に適した視標形式の少なくとも一方を選択してもよい。例えばユーザＵは、視覚スクリーニング装置１０４が使用されている国および地理的領域（例えば米国、北米、南米、欧州、中国、日本など）の少なくとも一方を選択してもよい。加えてまたはその代わりに、ユーザＵは、被検者ＥＰに通じる言語（例えば英語、中国語、ロシア語、日本語など）を選択してもよい。そのような例では、視覚スクリーニング装置１０４は、選択された国および地理的領域の少なくとも一方の規準に対応する視標の表示および他の方法による出力の少なくとも一方を行ってもよい。特に、視覚スクリーニング装置１０４は、選択された言語、および、選択された国または地理的地域で一般的に話される言語、の少なくとも一方で、文字を表示してもよい。そのような選択は、視覚スクリーニング装置１０４の一つ以上の制御部、ユーザインタフェース構成要素、または他の構成要素を介して行われうる。
【００６０】
ここで図８を参照すると、修正されたスネレン検査を実施するステップ（操作４８０）が示される。最初に、被検者の距離が判定される（操作４８２）。被検者の距離は、その人から視覚スクリーニング装置までの距離である。より具体的には、被検者の距離は、おおよそ、その人の瞳孔から視覚スクリーニング装置の第二ディスプレイユニットまでの距離である。事実上、被検者の距離は、その人の瞳孔と視覚スクリーニング装置に表示された視標との間の距離である。
【００６１】
被検者の距離に基づいて、調節された視標サイズ（操作４８４）が判定される。通常のスネレン表に基づく視力検査は、被検者をスネレン表から定められた距離に配置する。例えば、被検者がチャートから六メートルのところに配置される。六メートルを基準値として使用して、その後、その人の視覚スクリーニング装置からの距離に基づいて視標がより大きくまたはより小さくなるように調節される。
【００６２】
一例として、被検者は、視覚スクリーニング装置から二メートルのところに配置される。そこでは、六メートルの距離での視標の比率が、二メートルの視覚スクリーニング装置からの被検者の距離での視標と同じになるように、スネレン等価視力に対応する視標のサイズが縮小される。そのような例では、視覚スクリーニング装置１０４は、被検者ＥＰと視覚スクリーニング装置１０４との間の距離に少なくとも部分的に基づいて、視標のサイズを動的に（例えばリアルタイムで）調節しうる。
【００６３】
調節された視標サイズを判定するステップ（操作４８４）の後、調節された視標が視覚スクリーニング装置の第二ディスプレイユニットに表示される（操作４８６）。視標は、被検者が視標を正しく識別するか否かをユーザが確かめられるように、第一ディスプレイユニットにも表示される。この時、被検者を検査するユーザは通常、ディスプレイ上に何が示されているかについて被検者に質問する。あるいは、視覚スクリーニング装置によって可聴プロンプトが発せられて、被検者に視標が何であるかを問うことができる。
【００６４】
いくつかのの実施態様では、被検者の距離は検査が完了するまで継続的に監視される（操作４８８）。検査の完了は、被検者から正しい応答を受け取ったユーザによってまたは視覚スクリーニング装置によって示されうる。被検者の距離が変化した場合には、更新された調節済みの視標サイズ（操作４９０）が判定される。一例として、人が視覚スクリーニング装置に近づくと、調節された視標はより小さくなり、被検者と視覚スクリーニング装置との間のより近い焦点距離を補償する。視標のサイズ変化は、被検者の距離の変化に対応する。
【００６５】
遠視である被検者ＥＰは、被検者ＥＰが視覚スクリーニング装置１０４から標準の距離（例えば、６メートル、１０フィート、２０フィート）にいるときに、スネレン型視力評価において成績が良好でありうるものと理解される。しかし、この同じ被検者ＥＰは、被検者ＥＰが視覚スクリーニング装置１０４に比較的近い（例えば、１６インチ、２４インチなど）ときには、スネレン型視力検査の成績が良くない（例えば不合格になる）ことがありうる。したがって、いくつかの例では、比較的標準の距離（例えば、６メートル、１０フィート、２０フィート）で視標を表示すること（操作４８６）に加えて、図８に示される方法４８０は、被検者ＥＰと視覚スクリーニング装置１０４との間の距離を変更する視覚的命令、可聴命令、または他の命令をユーザＵに与えるステップも含みうる。特に、第一ディスプレイユニット１１２は、ユーザが視覚スクリーニング装置１０４を被検者の比較的近く（例えば、１６インチ、２４インチなどの距離）に配置するのを助けるために、距離、命令および他の情報の少なくともいずれかを、ユーザＵに表示することができる。所望の距離に達すると、第二ディスプレイユニット１１４は、一つ以上の適切なサイズの視標を被検者ＥＰに表示することができ、比較的近距離で視力検査を行うことができる。そのような例示的な操作は、例えば、通常なら標準の距離でスネレン検査に合格するであろう遠視の対象者を識別するのに有用でありうる。加えて、最初に上記の比較的短い距離で被検者を検査し、その後、比較的標準の距離で被検者ＥＰを検査することは、通常なら近距離でのスネレン検査に合格するかもしれない近視の患者を識別するのを助けることができる。
【００６６】
場合によっては、調節された視標に加えてまたはその代わりに、ぼやけた視標が表示される（操作４９２）。一般に、ぼやけた視標を表示することは、スネレン検査の結果をダブルチェックする方法である。表示されたぼやけた視標（操作４９２）は、同じ視標でありうるが、通常は異なる視標がぼやけたものとして表示される。場合によって、視標は、時間の経過とともに自動的にぼやけたりぼやけなかったりする。ユーザは、視覚スクリーニング装置にぼやけた視標を表示するよう命令することができる、あるいは、被検者が表示された調節された視標を正しく識別した後に、ぼやけた視標を自動的に示すことができる。
【００６７】
ぼやけた視標の例が図９Ａに示される。ここでは、視標は物体であり、鳥の巣である。しかし、他の文字や形、数字の、焦点がぼけた／ぼやけた視標も可能である。比較のために、図９Ａの画像の鮮明な、ぼやけていない視標が図９Ｂに示される。本明細書に記載される例のいずれにおいても、図９Ａに示されるような視標の「ぼやけ」は、視標を見たり視標に焦点を合わせる間の被検者ＥＰの調節能力を、低下させる可能性がある。その結果、一部の被検者ＥＰに対して、より正確な視力判定が行われる場合がある。例えば、遠視であるが調節力の高い子供は、標準のスネレン型視力検査に合格できるかもしれない。しかし、その同じ子供は、ぼやけた画像や子供の調節能力を最小化する他の視標では、視力検査に合格するのに苦労するかもしれない。
【００６８】
次に、検査が完了しているか否かの判定が行われる（決定４９４）。通常、被検者が、表示された調節された視標および表示されたぼやけた視標（単数または複数）の少なくとも一方を正しく識別した後に、ユーザは、検査が完了したことを示す。
【００６９】
しかし、ユーザが新たな視標を表示するべきと判断した場合には、視覚スクリーニング装置は新たな視標を判定する（操作４９６）。場合によっては、視標のカテゴリが変化されることがある。例えば文字の視標が表示され、被検者に認識されなかった場合には、次に物体（または数字または形）が表示される。
【００７０】
新たな視標が表示されるべきと判断した後、例示的な操作４８０は、調節された視標サイズを判定するステップ（操作４８４）、または調節された視標サイズで新たな視標を表示するステップ（操作４８６）のいずれかに戻る。通常、プロセスは、一回や二回などの限られた回数だけ戻った後、被検者が視標を正しく識別していなくても検査を終了する。
【００７１】
図１０は、スネレン等価視力を判定するための例示的な方法５００である。通常は、サーバデバイスが例示的な方法５００の操作を行う。サーバデバイスは、データベースと通信することができる。いくつかの例では、視覚スクリーニング装置が、例示的な方法５００の操作の一部またはすべてを実施する。他の実施形態は、より多いまたはより少ない操作を含みうる。
【００７２】
例示的な方法５００は、屈折異常データを受信するステップ（操作５０２）から始まる。屈折異常データは、視覚スクリーニング装置からの通信に含まれる。受信された屈折異常データに基づいて、スネレン等価視力が判定される（操作５０４）。スネレン等価視力は、一つ以上の屈折異常パラメータを等価視力と相関させることによって判定されうる。例えば、等価球面度数、球面度数、円柱度数、円柱軸、凝視角、瞳孔径、人口統計（年齢、性別、民族など）、瞳孔動態（例えば、時間の関数としての患者の瞳孔の直径およびサイズの少なくとも一方）、および瞳孔間距離の少なくともいずれかのパラメータのうちの一つ以上を使用して、スネレン等価視力が識別される。その後、判定されたスネレン等価視力が、屈折異常データを送信したデバイスに返送される（操作５０６）。
【００７３】
図１１は、本明細書に記載および検討されたプロセスの一部またはすべてを行うように構成されたソフトウェアアプリケーション８１６をホストする例示的なコンピューティングデバイス８０１を示す。例示的なコンピューティングデバイス８０１の一部またはすべての構成要素は、視力スクリーニング環境１００のコンピューティングデバイスにおいて通常使用される。
【００７４】
図示のように、例示的なコンピューティングデバイス８０１は、少なくとも一つの中央処理ユニット（「ＣＰＵ」）８０２、メモリ８０３、およびシステムメモリ８０８をＣＰＵ８０２に連結するシステムバス８２２を含む。メモリ８０３は、システムメモリ８０８および大容量記憶デバイス８１４を含む。システムメモリ８０８は、ランダムアクセスメモリ（「ＲＡＭ：ｒａｎｄｏｍ  ａｃｃｅｓｓ  ｍｅｍｏｒｙ」）８１０およびリードオンリメモリ（「ＲＯＭ：ｒｅａｄ−ｏｎｌｙ  ｍｅｍｏｒｙ」）８１２を含む。起動中などに例示的なコンピューティングデバイス８０１内の要素間で情報を転送するのに役立つ基本ルーチンを含む基本入出力システム（ＢＩＯＳ：ｂａｓｉｃ  ｉｎｐｕｔ／ｏｕｔｐｕｔ  ｓｙｓｔｅｍ）が、ＲＯＭ８１２に記憶されている。例示的なコンピューティングデバイス８０１は、大容量記憶デバイス８１４をさらに含む。大容量記憶デバイス８１４は、ソフトウェア命令およびデータを記憶することができる。
【００７５】
大容量記憶デバイス８１４は、システムバス８２２に接続された大容量記憶コントローラ（図示せず）を通じてＣＰＵ８０２に接続される。大容量記憶デバイス８１４およびその関連するコンピュータ可読データ記憶媒体は、例示的コンピューティングデバイス８０１のための不揮発性非一時的ストレージを提供する。本明細書に含まれるコンピュータ可読データ記憶媒体の説明は、ハードディスクやソリッドステートディスクなどの大容量記憶デバイスに言及するが、コンピュータ可読データ記憶媒体は、中央ディスプレイステーションがデータおよび命令の少なくとも一方を読み込むことができる、任意の利用可能な非一時的な、物理的デバイスまたは製品でありうることが、当業者には理解されよう。
【００７６】
コンピュータ可読データ記憶媒体は、コンピュータ可読ソフトウェア命令、データ構造、プログラムモジュール、または、他のデータなどの情報の記憶のために、任意の方法または技術において実施される、揮発性および不揮発性、取り外し可能および取り外し不可能な媒体、を含む。コンピュータ可読データ記憶媒体のタイプの例には、ＲＡＭ、ＲＯＭ、ＥＰＲＯＭ、ＥＥＰＲＯＭ、フラッシュメモリまたは他のソリッドステートメモリ技術、ＣＤ‐ＲＯＭ、デジタル多用途ディスク（「ＤＶＤ」）、他の光記憶媒体、磁気カセット、磁気テープ、磁気ディスクストレージもしくは他の磁気ストレージデバイス、または、所望の情報を記憶するために使用でき、例示的なコンピューティングデバイス８０１によってアクセスされうる、任意の他の媒体、が含まれるが、これらに限定されない。
【００７７】
本開示の様々な実施形態によれば、例示的なコンピューティングデバイス８０１は、無線ネットワーク、インターネット、または別のタイプのネットワークなどのネットワーク１１０を介した、リモートネットワークデバイスへの論理接続を使用して、ネットワーク化された環境で、動作しうる。例示的なコンピューティングデバイス８０１は、システムバス８２２に接続されたネットワークインタフェースユニット８０４を通じてネットワーク１１０に接続しうる。ネットワークインタフェースユニット８０４は、他のタイプのネットワークおよびリモートコンピューティングシステムに接続するためにも利用されうることが理解されよう。例示的なコンピューティングデバイス８０１は、タッチユーザインタフェースディスプレイ画面または別のタイプの入力デバイスを含む、いくつかの他のデバイスからの入力を受信および処理するための入出力コントローラ８０６も含む。同様に、入出力コントローラ８０６は、タッチユーザインタフェースディスプレイ画面または他のタイプの出力デバイスに出力を提供しうる。
【００７８】
上で簡単に述べたように、例示的なコンピューティングデバイス８０１の大容量記憶デバイス８１４およびＲＡＭ８１０は、ソフトウェア命令およびデータを記憶することができる。ソフトウェア命令は、例示的なコンピューティングデバイス８０１の動作を制御するのに適したオペレーティングシステム８１８を含む。大容量記憶デバイス８１４およびＲＡＭ８１０の少なくとも一方は、ＣＰＵ８０２によって実行されたときに例示的なコンピューティングデバイス８０１に本明細書に論じられる例示的なコンピューティングデバイス８０１の機能を提供させるソフトウェア命令も、記憶する。例えば、大容量記憶デバイス８１４およびＲＡＭ８１０の少なくとも一方は、ＣＰＵ８０２によって実行されたときに例示的なコンピューティングデバイス８０１に視力検査を実施させるソフトウェア命令を、記憶しうる。
【００７９】
さらに、上記のように、被検者ＥＰの瞳孔の一つ以上の画像をキャプチャした後、コンピューティングデバイス８０１および視覚スクリーニング装置１０４の他の構成要素の少なくとも一方は、被検者の屈折異常を判定しうる。そのような例では、屈折異常は、被検者ＥＰの球面度数、円柱度数、円柱軸、凝視角、瞳孔径、瞳孔間距離、および他の特性の少なくともいずれかに関係する情報に少なくとも部分的に基づいて判定されうる。そのような屈折異常が判定されると、コンピューティングデバイス８０１および視覚スクリーニング装置１０４の他の構成要素の少なくとも一方は、屈折異常に少なくとも部分的に基づいて、被検者ＥＰの視力を推定しうる。しかし、いくつかの例では、コンピューティングデバイス８０１および視覚スクリーニング装置１０４の他の構成要素の少なくとも一方は、被検者ＥＰの視力を推定する際に、追加の情報を利用しうる。
【００８０】
例えば、図１５に示される方法６６０に関して示されるように、いくつかの実施形態では、視覚スクリーニング装置１０４は、少なくとも図５および図６に関して上述したように、被検者ＥＰの屈折異常を判定しうる（操作６６２）。その後、視覚スクリーニング装置１０４は、被検者ＥＰの屈折異常を表す屈折異常値が一つ以上の所定の閾値を超えるか否かを判定しうる（操作６６４）。例えば、視覚スクリーニング装置１０４は、屈折異常検査結果を評価するときに＋３の上限閾値および−３の下限閾値を利用しうる。そのような例では、６６２での屈折異常の判定から＋７の値（または上限閾値を上回る他の何らかの例示的値）がもたらされた場合には、６６４で、視覚スクリーニング装置１０４は、被検患者ＥＰの屈折異常がそのような上限閾値を超えることを判定することができ（６６４‐Ｙｅｓ）、その結果、視覚スクリーニング装置１０４は、被検者ＥＰがさらなる評価のために視覚専門家に紹介されるべきことを示す出力を、ユーザＵに提供しうる（操作６６６）。同様に、６６２での屈折異常の判定から−５の値（または下限閾値を下回る何らかの他の値）がもたらされた場合には、６６４で、視覚スクリーニング装置１０４は、被検者ＥＰの屈折異常がそのような下限閾値を超えることを判定することができ（６６４‐Ｙｅｓ）、その結果、視覚スクリーニング装置１０４は、被検者ＥＰがさらなる評価のために視覚専門家に紹介されるべきことを示す出力を、ユーザＵに提供しうる（操作６６６）。他の例では、６６４で異なる上限閾値および下限閾値の少なくとも一方が使用されてもよいと理解される。
【００８１】
６６２での屈折異常の判定から、下限閾値よりも大きく上限閾値よりも小さい値がもたらされた場合には（６６４‐Ｎｏ）、視覚スクリーニング装置１０４は、６６２での屈折異常の判定から遠視の対象者を示す値がもたらされたか否かを判定しうる（操作６６８）。例えば、６６２での屈折異常の判定からゼロより大きい値がもたらされた場合には、そのような値は被検者ＥＰが遠視であることを示しうる（６６８‐Ｙｅｓ）。そのような判定に少なくとも部分的に基づいて、視覚スクリーニング装置１０４は、６７０で、第一プロセスに基づいて被検者ＥＰの視力を判定しうる。いくつかの例では、そのような第一プロセスは、視力を判定するために、一つ以上のアルゴリズム、データプロット、グラフ、経験データを含むルックアップテーブル、ニューラルネットワーク、および他のアイテムの少なくともいずれか一つを利用するステップを含みうる。特に、そのような第一プロセスにより、視覚スクリーニング装置１０４は、被検者ＥＰの屈折異常、年齢、性別、球面度数、円柱度数、円柱軸、民族、瞳孔測定、および他の特性の少なくともいずれかのうちの一つ以上に少なくとも部分的に基づいて、被検者ＥＰの視力を判定しうる。
【００８２】
例えば、図１２は、対応する視力値に対してプロットされた例示的な屈折異常値を含むデータプロット６００を示す。図１２に示されるように、約０〜約−５間の屈折異常を有する近視対象者の屈折異常と視力との間に（例えば、データプロット６００の部分６０２に）比較的直線状の関係が存在しうる。したがって、この範囲内の屈折異常値を有する被検者ＥＰに対応する視力は、比較的高い信頼度で判定されうる。このような関係では、約−５を超える（例えば約−５未満の）屈折異常を有する近視対象者は、（例えば、データプロット６００の部分６０４で）識別するのがより難しい場合がある。このような関係では、遠視対象者（例えば、約ゼロより大きい屈折異常値を有する対象者）も、（例えば、データプロット６００の部分６０６で）識別するのが難しい場合がある。したがって、そのような遠視対象者については、視覚スクリーニング装置１０４は、６７０で被検者ＥＰに関連する追加情報を（例えば、その関数として）利用することによって視力を判定してもよい。そのような例示的な追加情報を、図１３および図１４に示す。
【００８３】
例えば、図１３は、検査対象者の対応する年齢に対してプロットされた例示的な視力値を含むデータプロット６２０を示す。図１３に示されるように、比較的若い対象者（例えば、データプロット６２０の部分６２２で識別される１０歳未満の対象者）は遠視の傾向を有しうる。したがって、いくつかの例示的なデータセット（例えば、例示的な臨床試験に関連するデータセット）では、１０歳未満の被検者ＥＰに対応する視力は、そのようなデータに少なくとも部分的に基づいて推定されてもよい。部分６２４に示したデータによって示されるように、いくつかの例示的なデータセットでは、年齢が上がるにしたがって遠視の傾向が低下しうる。同様に、部分６２６および６２８に示したデータによって示されるように、いくつかの例示的なデータセットでは、年齢が上がるにつれて近視の傾向が高まりうる。図１３に示される例示的なデータは議論のためのものにすぎず、さらなる例では、他のデータは、例えば視力と年齢間の、異なる関係を示しうると理解される。それでも、そのような情報および関係の少なくとも一方は、６７０において、被検者ＥＰの視力を、単独で、または被検者ＥＰの屈折異常値および他の特性の少なくとも一方と組み合わせて、判定する際に、有用でありうる。
【００８４】
図１４は、男性および女性の対象者についてプロットされた例示的な視力値を含むデータプロット６４０を示す。図１４に示されるように、いくつかの例示的なデータセット（例えば、例示的な臨床試験に関連するデータセット）では、（データプロット６４０の部分６４２および６４４によって示されるように）男性の対象者は遠視の傾向を有しうる。加えて、部分６４６および６４８に示したデータによって示されるように、いくつかの例示的なデータセットでは、女性の対象者の間では遠視の傾向と近視の傾向とが比較的均等に分布しうる。図１３に関して上述したように、図１４に示される例示的なデータは議論のためのものにすぎず、さらなる例では、他のデータは、例えば視力と性別間の、異なる関係を示しうる。それでも、そのような情報および関係の少なくとも一方は、６７０において、被検者ＥＰの視力を、単独で、または被検者ＥＰの屈折異常値および他の特性の少なくとも一方と組み合わせて、判定する際に、有用でありうる。
【００８５】
例えば、いくつかの実施形態では、６７０において被検者ＥＰの視力を判定するために、一つ以上のアルゴリズム、データプロット、グラフ、経験データを含むルックアップテーブル、ニューラルネットワーク、および他のアイテムの少なくともいずれかが視覚スクリーニング装置１０４によって利用されうる。そのような例では、被検者ＥＰの視力は、以下のように一つ以上のアルゴリズムを使用して判定されることができ、
視力＝屈折異常（Ａ）＋年齢（Ｂ）＋性別（Ｃ）＋Ｘ
式中、数値は屈折異常、年齢、および性別を表すために使用され、Ａ、Ｂ、およびＣは乗数を表す。上記のアルゴリズムにおいて、Ｘは、被検者ＥＰの球面度数、円柱軸、円柱度数、民族、および他の特性の少なくともいずれかを表す一つ以上の追加の関数、係数、または項を備えうる。６７２において、視覚スクリーニング装置１０４は、少なくとも図７および図８に関して上述したように、被検者ＥＰに、一つ以上の視標の、表示および他の方法による提供の少なくとも一方を、行いうる。
【００８６】
あるいは、６６２における屈折異常の判定からゼロ未満の値がもたらされた場合には、そのような値は、被検者ＥＰが近視であることを示しうる（６６８‐Ｎｏ）。そのような判定に少なくとも部分的に基づいて、視覚スクリーニング装置１０４は、６７４において、第二プロセスに基づいて被検者ＥＰの視力を判定しうる。いくつかの例では、そのような第二プロセスは、視力を判定するために一つ以上のアルゴリズム、データプロット、グラフ、経験データを含むルックアップテーブル、ニューラルネットワーク、および他のアイテムの少なくともいずれかを利用するステップを備えうる。特に、そのような第二プロセスにより、視覚スクリーニング装置１０４は、被検者ＥＰの屈折異常に少なくとも部分的に基づいて、および、図１２に示されるデータプロット６００の少なくとも部分６０２に表される関係にしたがって、の少なくとも一方により、被検者ＥＰの視力を判定しうる。そのような例では、被検者ＥＰの視力は、以下のように一つ以上のアルゴリズムを使用して判定されることができ、
視力＝屈折異常（Ａ）
式中、数値は屈折異常を表すために使用され、Ａは例示的な乗数を表す。このような例では、６７２において、視覚スクリーニング装置１０４は、少なくとも図７および図８に関して上述したように、被検者ＥＰに、一つ以上の視標の、表示および他の方法による提供の少なくとも一方を、行いうる。
【００８７】
以下の項は、本開示の一つ以上の例示的な実施形態を、単独でまたは組み合わせて説明する。
【００８８】
Ａ．処理ユニットと、処理ユニットによって実行されたときに、視覚スクリーニング装置に屈折異常結果の評価に基づいてスネレン等価視力を判定させ、視覚スクリーニング装置からの被検者の距離を判定させ、被検者の距離およびスネレン等価視力に基づいて、調節された視標サイズを判定させ、調節された視標サイズで視標を表示させる命令を記憶するメモリと、を備える視覚スクリーニング装置。
【００８９】
Ｂ．Ａ項に記載の視覚スクリーニング装置であって、メモリは、処理ユニットによって実行されたときに、視覚スクリーニング装置に光屈折眼スクリーニング検査を実施させ、それにより屈折異常結果を生成させ、スネレン等価視力の要求をサーバへ送信させ、要求は屈折異常結果を含み、サーバから、スネレン等価視力を含む応答を、受信させる、命令をさらに記憶する、視覚スクリーニング装置。
【００９０】
Ｃ．上記の項の少なくとも一つに記載の視覚スクリーニング装置であって、メモリは、処理ユニットによって実行されたときに、視覚スクリーニング装置に被検者の年齢を受信させ、年齢に基づいて、視標を、調節された視標サイズで表示される、年齢に適した視標に、調節させる命令を、さらに記憶する、視覚スクリーニング装置。
【００９１】
Ｄ．上記の項の少なくとも一つに記載の視覚スクリーニング装置であって、年齢に適した視標は、物体、形、数字、および文字のうちの少なくとも一つを含む、視覚スクリーニング装置。
【００９２】
Ｅ．上記の項の少なくとも一つに記載の視覚スクリーニング装置であって、第一ディスプレイユニットと、第二ディスプレイユニットと、画像センサユニットとをさらに備え、メモリは、処理ユニットによって実行されたときに、視覚スクリーニング装置に、屈折異常結果を、第一ディスプレイユニット上に、表示させ、視標を、第二ディスプレイユニット上に、表示させる命令をさらに記憶する、視覚スクリーニング装置。
【００９３】
Ｆ．上記の項の少なくとも一つに記載の視覚スクリーニング装置であって、視覚スクリーニング装置からの被検者の距離を、判定するために使用されるレンジファインダを、さらに備える、視覚スクリーニング装置。
【００９４】
Ｇ．上記の項の少なくとも一つに記載の視覚スクリーニング装置であって、メモリは、処理ユニットによって実行されたときに、視覚スクリーニング装置に、ぼやけた視標を表示させる命令をさらに記憶する、視覚スクリーニング装置。
【００９５】
Ｈ．上記の項の少なくとも一つに記載の視覚スクリーニング装置であって、被検者の距離は、修正されたスネレン検査中にわたって更新される、視覚スクリーニング装置。
【００９６】
Ｉ．上記の項の少なくとも一つに記載の視覚スクリーニング装置であって、調節された視標サイズは、修正されたスネレン検査中にわたって調節される、視覚スクリーニング装置。
【００９７】
Ｊ．上記の項の少なくとも一つに記載の視覚スクリーニング装置であって、スネレン等価視力は、等価球面度数、球面度数、円柱度数、円柱軸、凝視角、瞳孔径、および瞳孔間距離のうちの少なくとも一つを使用して判定される、視覚スクリーニング装置。
【００９８】
Ｋ．視覚スクリーニング装置を用いた視力スクリーニングの方法であって、屈折異常を判定するステップと、屈折異常に対するスネレン等価視力を判定するステップと、スネレン等価視力に基づいて、視標を判定するステップと、視覚スクリーニング装置からの人の距離を判定するステップと、視覚スクリーニング装置からのその人の距離に基づいて、視標のサイズを調節し、それにより調節された視標を生成するステップと、調節された視標を視覚スクリーニング装置のディスプレイ上に表示するステップとを備える、方法。
【００９９】
Ｌ．上記の項の少なくとも一つに記載の方法であって、スネレン等価視力の要求を送信するステップであって、要求は、サーバに送られる屈折異常を含む、ステップと、サーバから、スネレン等価視力を含む応答を、受信するステップと、をさらに備える方法。
【０１００】
Ｍ．上記の項の少なくとも一つに記載の方法であって、その人の年齢を受信するステップと、年齢に基づいて、視標を年齢に適した視標に調節するステップと、年齢に適した視標を、調節された視標サイズで表示するステップと、をさらに備える方法。
【０１０１】
Ｎ．請求項１３に記載の方法であって、年齢に適した視標を表示するステップは、物体、形、数字、および文字のうちの少なくとも一つを表示するステップを含む、方法。
【０１０２】
Ｏ．請求項１１に記載の方法であって、焦点がぼけた視標を表示するステップをさらに備える、方法。
【０１０３】
Ｐ．視力スクリーニング装置であって、処理ユニットと、処理ユニットによって実行されたときに、視力スクリーニング装置に光屈折眼スクリーニング検査を実施させ、それにより屈折異常データを生成させ、スネレン等価視力の要求をサーバへ送信させ、要求は屈折異常データを含み、サーバから、スネレン等価視力を含む応答を、受信させ、視力スクリーニング装置からの被検者の距離を判定させ、被検者の距離およびスネレン等価視力に基づいて、調節された視標サイズを判定させ、調節された視標サイズで視標を表示させ、ぼやけた視標を表示させる命令を記憶するメモリと、を備える、視力スクリーニング装置。
【０１０４】
Ｑ．上記の項の少なくとも一つに記載の視力スクリーニング装置であって、メモリは、処理ユニットによって実行されたときに、視力スクリーニング装置に被検者の年齢を受信させ、年齢に基づいて、視標を年齢に適した視標に調節させ、年齢に適した視標は調節された視標サイズで表示され、物体、形、数字、および文字のうちの少なくとも一つを含む、命令をさらに記憶する、視力スクリーニング装置。
【０１０５】
Ｒ．上記の項の少なくとも一つに記載の視力スクリーニング装置であって、第一ディスプレイユニットと、第二ディスプレイユニットと、画像センサユニットと、をさらに備え、メモリは、処理ユニットによって実行されたときに、視力スクリーニング装置に、屈折データ結果を、第一ディスプレイユニット上に、表示させ、視標を、第二ディスプレイユニット上に、表示させる命令をさらに記憶する、視力スクリーニング装置。
【０１０６】
Ｓ．上記の項の少なくとも一つに記載の視力スクリーニング装置であって、視力スクリーニング装置からの被検者の距離を、判定するために使用されるレンジファインダを、さらに備える、視力スクリーニング装置。
【０１０７】
Ｔ．上記の項の少なくとも一つに記載の視力スクリーニング装置であって、被検者の距離は、修正されたスネレン検査中にわたって更新され、調節された視標サイズは、修正されたスネレン検査中にわたって調節され、スネレン等価視力は、等価球面度数、球面度数、円柱度数、円柱軸、凝視角、瞳孔径、および瞳孔間距離のうちの少なくとも一つを使用して判定される、視力スクリーニング装置。
【０１０８】
いくつかの例では、一つ以上の構成要素が、本明細書において、「ように構成される」、「ように構成可能」、「ように動作可能／動作する」、「適合される／適合可能」、「できる」、「ように適応可能／適応される」などのように言及されうる。当業者は、そのような用語（例えば、「ように構成される」）が、一般に、文脈による別段の要請がない限り、アクティブ状態の構成要素および非アクティブ状態の構成要素の少なくとも一方ならびにスタンバイ状態の構成要素の少なくともいずれかを包含しうることを認識するであろう。
【０１０９】
本出願において提供される一つ以上の実施形態の説明および図示は、特許請求された本発明の範囲をいかなる点でも限定または制限することを意図しない。組み合わせて図示および説明されるかまたは別々に図示および説明されるかに関わらず、様々な特徴（構造の特徴および方法の特徴のいずれも）は、特徴の特定の組を備えた実施形態を生成するために選択的に含まれるかまたは省略されることが意図される。本出願の説明および図示が提供されていることから、当業者は特許請求された本発明のより広い態様および本出願において具体化された包括的な発明概念の精神に含まれる、より広い範囲から逸脱しない変形例、修正例、および代替的実施形態を想定しうる。
【図１】
2021501008.tif 000003
【図２】
2021501008.tif 000004
【図３】
2021501008.tif 000005
【図４】
2021501008.tif 000006
【図５】
2021501008.tif 000007
【図６】
2021501008.tif 000008
【図７】
2021501008.tif 000009
【図８】
2021501008.tif 000010
【図９Ａ】
2021501008.tif 000011
【図９Ｂ】
2021501008.tif 000012
【図１０】
2021501008.tif 000013
【図１１】
2021501008.tif 000014
【図１２】
2021501008.tif 000015
【図１３】
2021501008.tif 000016
【図１４】
2021501008.tif 000017
【図１５】
2021501008.tif 000018
【国際調査報告】
2021501008.tif 000019
2021501008.tif 000020